(57)【要約】【課題】外部のアース端子との直接の接続が可能となる新しい接地構造を有し、プラズマディスプレイパネルに特別な設計や工夫を施すことなく、プラズマディスプレイ装置のコストダウンを実現し、製造過程で傷が付きにくい、新構造の電磁波シールドシートを提供する。【解決手段】基材フィルム２ａと、基材フィルム２ａの一方の面６ａに形成された、メッシュ状パターンからなる電磁波シールド層３ａ及び電磁波シールド層３ａに電気的に接続された接地層４ａと、を有し、基材フィルム２ａのうち接地層４ａが形成された部分に折り返し部５ａを設け、折り返し部５ａが基材フィルム２ａの他方の面７ａを内側にして折り返されている電磁波シールドシート１ａによって、上記課題を解決する。【選択図】図２
2008300550.tif 000002
【特許請求の範囲】
【請求項１】
基材フィルムと、該基材フィルムの一方の面に形成された、メッシュ状パターンからなる電磁波シールド層及び該電磁波シールド層に電気的に接続された接地層と、を有する電磁波シールドシートにおいて、
前記基材フィルムのうち前記接地層が形成された部分に折り返し部を設け、該折り返し部が前記基材フィルムの他方の面を内側にして折り返されていることを特徴とする電磁波シールドシート。
【請求項２】
前記折り返し部の形状が、折り返されることにより形成される折り目線を底辺とする略等脚台形である、請求項１に記載の電磁波シールドシート。
【請求項３】
前記電磁波シールドシートが略四角形であり、該略四角形の各辺にそれぞれ前記折り返し部が設けられている、請求項１又は２に記載の電磁波シールドシート。
【請求項４】
基材フィルムと、該基材フィルムの一方の面に形成された、メッシュ状パターンからなる電磁波シールド層及び該電磁波シールド層に電気的に接続された接地層と、前記基材フィルムの他方の面に設けられた光学調整層と、を有する光学フィルタにおいて、
前記基材フィルムのうち、前記接地層が形成されかつ前記光学調整層が設けられていない部分に折り返し部を設け、該折り返し部が前記基材フィルムの他方の面を内側にして折り返されていることを特徴とする光学フィルタ。
【請求項５】
基材フィルムと、該基材フィルムの一方の面に形成された、メッシュ状パターンからなる電磁波シールド層及び該電磁波シールド層に電気的に接続された接地層と、前記基材フィルムの他方の面に設けられた光学調整層と、を有する光学フィルタにおいて、
前記基材フィルムのうち、前記接地層が形成されかつ前記光学調整層が設けられた部分に折り返し部を設け、該折り返し部が前記光学調整層の表面を内側にして折り返されていることを特徴とする光学フィルタ。
【請求項６】
前記折り返し部の形状が、折り返されることにより形成される折り目線を底辺とする略等脚台形である、請求項４又は５に記載の光学フィルタ。
【請求項７】
前記光学フィルタが略四角形であり、該略四角形の各辺にそれぞれ前記折り返し部が設けられている、請求項４〜６のいずれか１項に記載の光学フィルタ。
【発明の詳細な説明】
【技術分野】
【０００１】
本発明は、電磁波シールドシート及び該電磁波シールドシートを用いた光学フィルタに関する。
【背景技術】
【０００２】
ディスプレイ装置はテレビやパーソナルコンピュータのモニター等、各種の分野で用いられているが、その種類は多岐にわたる。ディスプレイ装置の種類としては、例えば、ＣＲＴディスプレイ装置、液晶ディスプレイ装置（ＬＣＤ）、プラズマディスプレイ装置、及びＥＬディスプレイ装置等を挙げることができる。
【０００３】
上記の様々なディスプレイ装置のうち、大画面ディスプレイ装置の分野では、プラズマディスプレイ装置が注目されている。プラズマディスプレイ装置は、画像表示領域に微細な画素区画パターンが形成されたプラズマディスプレイパネルを有する高精細な表示装置であり、その奥行きが薄いこと、また軽量であることから、テレビジョン、モニター等の種々の用途に利用され、今後も需要の増加が期待されている。
【０００４】
しかし、こうしたプラズマディスプレイ装置は、発光にプラズマ放電を利用するため、３０ＭＨｚ〜１ＧＨｚ帯域の不要な電磁波が外部に漏洩して他の機器（例えば、遠隔制御機器、情報処理装置等）に影響を与えるおそれがある。そのため、プラズマディスプレイ装置に用いられるプラズマディスプレイパネルの前面側（観察者側）に、漏洩する電磁波をシールドするための電磁波シールドフィルムを設けるのが一般的である。
【０００５】
電磁波シールドフィルムは、プラズマディスプレイパネルの表示の視認性を落とすことなく電磁波を効率的にシールドするために、通常、金属メッシュ、及びこの金属メッシュと電気的に接続された電極部が、透明基材フィルム上に形成された形態を有する。こうした電磁波シールドフィルムは、粘着剤を用いてディスプレイパネルの表示面に貼付される。そして、外部のアース端子と上記の電極部とを電気的に接続することにより、金属メッシュが接地される。
【０００６】
金属メッシュを接地するための構造として、特許文献１では、ディスプレイパネルの周縁に接地電極を配置し、この接地電極に設けられた突起又は突条を電磁波シールドフィルムの電極部に貫通させることにより、金属メッシュの接地を行う構造が提案されている。
【特許文献１】特開２００６−１９６７６０号公報（第００３３段落〜第００３６段落、図５、図６）
【発明の開示】
【発明が解決しようとする課題】
【０００７】
特許文献１においては、例えば同文献の図５，６に示されるように、金属メッシュ（以下、「金属メッシュ」を「メッシュ状パターンからなる電磁波シールド層」又は、単に「電磁波シールド層」という。）を、粘着剤を介してディスプレイパネルに対向するように設置する構成を採用している。これは、ディスプレイパネルと電磁波シールド層とを近接（数十μｍの間隔）して設けることにより、ディスプレイパネルから漏洩する電磁波を効率的にシールドするためであると考えられる。ところが、上記のような構成は、電磁波シールド層とディスプレイパネルとが近接して設けられる分、ディスプレイパネル側に接地用の電極を設けることなく、電磁波シールド層を接地するための端子を外部に取り出すことが困難となる。このため、特許文献１に記載された発明においては、ディスプレイパネルの周縁に接地電極を配置し、この接地電極に設けられた突起又は突条を電磁波シールドフィルムの電極部に貫通させることにより、電磁波シールド層の接地をとる構造を採用している（以下、「電磁波シールドフィルム」を「電磁波シールドシート」という。また、電極部を「接地層」という。）。
【０００８】
しかしながら、特許文献１で提案された構造では、ディスプレイパネル側に接地電極を設ける必要があるためにディスプレイパネルにおいて所定の設計変更が必要となる課題があるが、ディスプレイパネルは表面がガラス基板であることが多いのでその設計変更は容易ではない。また、接地電極に突起又は突条を設ける分、ディスプレイ装置全体のコストが増加する課題もある。さらに、同文献の図６に記載されるように、接地電極に設けられた突起又は突条を接地層に貫通させるために圧縮ロールを用いているが、こうした圧縮ロールの採用により、圧縮ロールの押圧により電磁波シールドシートに傷が付きやすくなるという課題もある。
【０００９】
本発明は、上記課題を解決するためになされたものであって、その目的は、外部のアース端子との直接の接続が可能となる新しい接地構造を有し、プラズマディスプレイパネルに特別な設計や工夫を施すことなく、プラズマディスプレイ装置のコストダウンを実現し、製造過程で傷が付きにくい、新構造の電磁波シールドシートを提供することにある。
【００１０】
また、本発明の他の目的は、外部のアース端子との直接の接続が可能となる新しい接地構造を有し、プラズマディスプレイパネルに特別な設計や工夫を施すことなく、プラズマディスプレイ装置のコストダウンを実現し、製造過程で傷が付きにくい、新構造の光学フィルタを提供することにある。
【課題を解決するための手段】
【００１１】
上記課題を解決するための本発明の電磁波シールドシートは、基材フィルムと、該基材フィルムの一方の面に形成された、メッシュ状パターンからなる電磁波シールド層及び該電磁波シールド層に電気的に接続された接地層と、を有する電磁波シールドシートにおいて、前記基材フィルムのうち前記接地層が形成された部分に折り返し部を設け、該折り返し部が前記基材フィルムの他方の面を内側にして折り返されていることを特徴とする。
【００１２】
この発明によれば、基材フィルムのうち接地層が形成された部分に折り返し部を設け、折り返し部が基材フィルムの他方の面を内側にして折り返されているので、接地層の一部が基材フィルムの他方の面の側に折り返され、その結果、外部のアース端子との直接の接続が可能となる接地構造を有する電磁波シールドシートを得ることができる。
【００１３】
本発明の電磁波シールドシートの好ましい態様においては、前記折り返し部の形状が、折り返されることにより形成される折り目線を底辺とする略等脚台形である。
【００１４】
この発明によれば、折り返し部の形状が、折り返されることにより形成される折り目線を底辺とする略等脚台形であるので、折り返し部の加工が容易となり、その結果、工業生産性の高い接地構造を得ることができる。
【００１５】
本発明の電磁波シールドシートの好ましい他の態様においては、前記電磁波シールドシートが略四角形であり、該略四角形の各辺にそれぞれ前記折り返し部が設けられている。
【００１６】
この発明によれば、電磁波シールドシートが略四角形であり、略四角形の各辺にそれぞれ折り返し部が設けられているので、基材フィルムの他方の面の側に折り返される接地層の面積が大きくなり、その結果、電磁波シールド層の接地を行いやすくなる。
【００１７】
上記課題を解決するための本発明に係る第１の光学フィルタは、基材フィルムと、該基材フィルムの一方の面に形成された、メッシュ状パターンからなる電磁波シールド層及び該電磁波シールド層に電気的に接続された接地層と、前記基材フィルムの他方の面に設けられた光学調整層と、を有する光学フィルタにおいて、前記基材フィルムのうち、前記接地層が形成されかつ前記光学調整層が設けられていない部分に折り返し部を設け、該折り返し部が前記基材フィルムの他方の面を内側にして折り返されていることを特徴とする。
【００１８】
この発明によれば、基材フィルムのうち、接地層が形成されかつ光学調整層が設けられていない部分に折り返し部を設け、折り返し部が基材フィルムの他方の面を内側にして折り返されているので、接地層の一部が基材フィルムの他方の面の側に折り返され、その結果、外部のアース端子との直接の接続が可能となる接地構造を有する光学フィルタを得ることができる。
【００１９】
上記課題を解決するための本発明に係る第２の光学フィルタは、基材フィルムと、該基材フィルムの一方の面に形成された、メッシュ状パターンからなる電磁波シールド層及び該電磁波シールド層に電気的に接続された接地層と、前記基材フィルムの他方の面に設けられた光学調整層と、を有する光学フィルタにおいて、前記基材フィルムのうち、前記接地層が形成されかつ前記光学調整層が設けられた部分に折り返し部を設け、該折り返し部が前記光学調整層の表面を内側にして折り返されていることを特徴とする。
【００２０】
この発明によれば、基材フィルムのうち、接地層が形成されかつ光学調整層が設けられた部分に折り返し部を設け、折り返し部が光学調整層の表面を内側にして折り返されているので、接地層の一部が光学調整層の表面の側に折り返され、その結果、外部のアース端子との直接の接続が可能となる接地構造を有する光学フィルタを得ることができる。
【００２１】
本発明の光学フィルタの好ましい態様においては、前記折り返し部の形状が、折り返されることにより形成される折り目線を底辺とする略等脚台形である。
【００２２】
この発明によれば、折り返し部の形状が、折り返されることにより形成される折り目線を底辺とする略等脚台形であるので、折り返し部の加工が容易となり、その結果、工業生産性の高い接地構造を得ることができる。
【００２３】
本発明の光学フィルタの好ましい他の態様においては、前記光学フィルタが略四角形であり、該略四角形の各辺にそれぞれ前記折り返し部が設けられている。
【００２４】
この発明によれば、光学フィルタが略四角形であり、略四角形の各辺にそれぞれ折り返し部が設けられているので、光学調整層の表面の側に折り返される接地層の面積が大きくなり、その結果、電磁波シールド層の接地を行いやすくなる。
【発明の効果】
【００２５】
本発明の電磁波シールドシートによれば、基材フィルムのうち接地層が形成された部分に折り返し部を設け、折り返し部が基材フィルムの他方の面を内側にして折り返されているので、外部のアース端子との直接の接続が可能となる接地構造を有する電磁波シールドシートを得ることができる。そして、本発明の電磁波シールドシートによれば、プラズマディスプレイパネルに特別な設計や工夫を施すことなく、非常に簡便な方法で電磁波シールドシートに接地構造を形成できるので、プラズマディスプレイ装置のコストダウンを実現し、製造過程でも傷が付きにくい、新構造の電磁波シールドシートを提供できる。
【００２６】
本発明に係る第１の光学フィルタによれば、基材フィルムのうち、接地層が形成されかつ光学調整層が設けられていない部分に折り返し部を設け、折り返し部が基材フィルムの他方の面を内側にして折り返されているので、外部のアース端子との直接の接続が可能となる接地構造を有する光学フィルタを得ることができる。そして、本発明に係る第１の光学フィルタによれば、プラズマディスプレイパネルに特別な設計や工夫を施すことなく、非常に簡便な方法で光学フィルタに接地構造を形成できるので、プラズマディスプレイ装置のコストダウンを実現し、製造過程でも傷が付きにくい、新構造の光学フィルタを提供できる。
【００２７】
本発明に係る第２の光学フィルタによれば、基材フィルムのうち、接地層が形成されかつ光学調整層が設けられた部分に折り返し部を設け、折り返し部が光学調整層の表面を内側にして折り返されているので、外部のアース端子との直接の接続が可能となる接地構造を有する光学フィルタを得ることができる。そして、本発明に係る第２の光学フィルタによれば、プラズマディスプレイパネルに特別な設計や工夫を施すことなく、非常に簡便な方法で光学フィルタに接地構造を形成できるので、プラズマディスプレイ装置のコストダウンを実現し、製造過程でも傷が付きにくい、新構造の光学フィルタを提供できる。
【発明を実施するための最良の形態】
【００２８】
次に、本発明の実施の形態について詳細に説明するが、本発明は以下の実施の形態に限定されるものではなく、その要旨の範囲内で種々変形して実施することができる。
【００２９】
［電磁波シールドシート及びその製造方法］
（電磁波シールドシート）
図１は、本発明の電磁波シールドシートの一例を示す模式的な斜視図である。より詳しくは、図１（ａ）は、折り返し部を折り返す前の状態を示し、図１（ｂ）は、折り返し部を折り返して得られた電磁波シールドシート１ａを示している。図２は、図１におけるＡ−Ａ’面の模式的な断面図であり、図３は、図１に示す電磁波シールドシートの裏面（他方の面）を示す模式的な底面図である。図３においては、後述するように基材フィルム２ａが透明なので、基材フィルム２ａを介して、基材フィルム２ａの一方の面に形成された電磁波シールド層３ａの存在を認識することができる。この点については、後述の図４でも同様である。
【００３０】
本発明の電磁波シールドシート１ａは、図１（ｂ），図２に示すように、基材フィルム２ａと、基材フィルム２ａの一方の面６ａに形成された、メッシュ状パターンからなる電磁波シールド層３ａ及び電磁波シールド層３ａに電気的に接続された接地層４ａと、を有し、基材フィルム２ａのうち接地層４ａが形成された部分に折り返し部５ａを設け、折り返し部５ａが基材フィルム２ａの他方の面７ａを内側にして折り返されている。
【００３１】
電磁波シールドシート１ａにおいては、基材フィルム２ａのうち接地層４ａが形成された部分に折り返し部５ａを設け、折り返し部５ａが基材フィルム２ａの他方の面７ａを内側にして折り返されているので、接地層４ａの一部が基材フィルム２ａの他方の面７ａの側に折り返され、その結果、外部のアース端子との直接の接続が可能となる接地構造が形成される。
【００３２】
基材フィルム２ａは、透明なフィルムであり、従来公知のものを用いることができる。具体的には、透明性の高い樹脂フィルムが用いられる。基材フィルム２ａの透明性は、分光光度計等を利用して測定される可視光線透過率で８０％以上であることが好ましい。樹脂フィルムの材料としては、透明性、耐熱性、コスト等の観点から、通常、ポリエチレンテレフタレートが用いられる。また、こうした樹脂フィルムは、１軸延伸又は２軸延伸した延伸シートが用いられ、より好ましくは２軸延伸した延伸シートが用いられる。基材フィルム２ａの厚さは、機械的強度、反りや弛み、破断、及び帯状で供給して加工すること、折り返し部の加工性等を考慮して、通常１２μｍ以上、好ましくは５０μｍ以上、一方、通常１０００μｍ以下、好ましくは５００μｍ以下とする。
【００３３】
基材フィルム２ａの一方の面６ａには、電磁波シールド層３ａ及びこの電磁波シールド層３ａに電気的に接続された接地層４ａがそれぞれ設けられている。
【００３４】
電磁波シールド層３ａは、プラズマディスプレイパネルから漏洩する電磁波をシールドするために、基材フィルム２ａの一方の面６ａに設けられる。電磁波シールド層３ａは、プラズマディスプレイパネルの視認性を低下させずに電磁波シールド機能を奏するために、互いに交差する細い導電性の線群で形成されるメッシュ状パターンからなる。
【００３５】
電磁波シールド層３ａは、図１には図示していないが、プラズマディスプレイパネルと対向するようにして、電磁波シールドシート１ａとプラズマディスプレイパネルとが貼り合わせられる。これにより、電磁波シールド層３ａとプラズマディスプレイパネルとが数十μｍのオーダーで近接して配置されることになり、電磁波シールド機能がより効果的に発現するようになる。一方で、こうした電磁波シールド層３ａとプラズマディスプレイパネルのガラスの表示面とが近接することにより、電磁波シールド層３ａの外部のアース端子への接続方法が課題となるが、この点については、折り返し部５ａを基材フィルム２ａの他方の面７ａを内側にして折り返して形成するので、接地層４ａの一部が基材フィルム２ａの他方の面７ａの側に存在することになり、外部のアース端子との直接の接続が可能となる接地構造が得られる。こうした折り返し部５ａを電磁波シールドシート１ａに設ける方法は、製造プロセスの大きな設計変更を行うことなく実現が可能であるのでコストの上昇を抑制できるだけでなく、非常に簡便な方法で接地構造を得ることができ、工業生産上のメリットが大きい。
【００３６】
電磁波シールド層３ａには、通常、電磁波シールド機能以外に、プラズマディスプレイパネルに入射する外光を吸収するという機能が付加される。このため、電磁波シールド層３ａを構成するメッシュ状パターンの線群は、通常、電磁波をシールドするための金属材料で構成される金属層と、外光を吸収するための黒化層との少なくとも２層で構成される。そして、外光が入射する側に黒化層が設けられ、プラズマディスプレイパネルと対向する側に金属層が設けられるように構成される。より詳しくは、上記で説明したように、プラズマディスプレイパネルの表示面は電磁波シールド層３ａに対向するように電磁波シールドシート１ａに貼り合わせられる（図１では図示していない。）ので、電磁波シールド層３ａは、基材フィルム２ａの一方の面６ａから、黒化層及び金属層の順番になるように形成される。こうした電磁波シールド層３ａは、通常、黒化処理によって得られる黒化層と、銅等の金属層との２層を少なくとも有する薄膜を基材フィルム２ａの全面に形成し、フォトリソグラフィー法等でメッシュ状パターンにパターニングして得る。
【００３７】
電磁波シールド層３ａは、通常、プラズマディスプレイパネルの表示面と同等またはそれより大きくなるように形成され、図１（ａ），（ｂ）に示すように略長方形の形状を有する。
【００３８】
接地層４ａは、電磁波シールド層３ａと外部のアース端子とを電気的に接続するために用いられるものである。このため、接地層４ａは、メッシュ状パターンからなる電磁波シールド層３ａと電気的に接続され、電磁波シールド層３ａと同様に、基材フィルム２ａの一方の面６ａ上に設けられている。より詳しくは、図１（ａ）に示されるように、接地層４ａは、電磁波シールド層３ａを囲むようにして基材フィルム２ａの一方の面６ａ上に額縁状に設けられている。この額縁状に設けられた部分が、基材フィルム２ａのうち接地層４ａが形成された部分に対応している。そして、図１（ａ）に示されるように、この額縁状の領域の一部が後述する折り返し部５ａとして用いられる。
【００３９】
接地層４ａにおける、接地層４ａと電磁波シールド層３ａとの電気的な接続は、通常、電磁波シールド層３ａのメッシュ状パターンを構成する線群と、接地層４ａとを連続的に形成することによって行われる。例えば、上記のフォトリソグラフィー法でメッシュ状パターンからなる電磁波シールド層３ａを形成する場合には、黒化処理によって得られる黒化層と、銅等の金属層との２層を少なくとも有する薄膜を基材フィルム２ａの全面に形成する。その後フォトリソグラフィー法で、電磁波シールド層３ａに該当する領域をメッシュ状パターンにパターニングすれば、パターニングが行われなかった電磁波シールド層３ａの周囲の領域が接地層４ａとなる。こうして得られる接地層４ａの、材料、層構成、及び厚さ等は、電磁波シールド層３ａと同様となる。これらのうち、接地層４ａの厚さについては、通常１．０μｍ以上、好ましくは５．０μｍ以上、一方、通常１００μｍ以下、好ましくは５０μｍ以下とする。この範囲とすれば、折り返し部５ａを折り返す際に形成される折り目線８ａで接地層４ａが山折りされた場合においても、折り目線８ａにおける接地層４ａの破断が起こりにくくなる。なお、接地層は、必ずしも額縁状である必要はない。例えば、電磁波シールド層と同様にメッシュ状パターンに形成してもよい。
【００４０】
折り返し部５ａは、基材フィルム２ａの他方の面７ａの側と電磁波シールド層３ａとの間の電気的な接続を確保するために用いられるものである。折り返し部５ａは、基材フィルム２ａのうち接地層４ａが形成された部分に設けられる。より詳しくは、図１（ａ）に示されるように、基材フィルム２ａの一方の面６ａのうち、電磁波シールド層３ａを囲んで形成される額縁状の部分に接地層４ａが積層されており、この額縁状の部分の両端付近における接地層４ａの所定の面積を折り返し部５ａとしている。図１（ａ）に示す、折り目線８ａから接地層４ａの端部までの長さ（折り返し部５ａの幅）ｔは、通常１．０ｃｍ以上、好ましくは２．０ｃｍ以上とする。上記範囲とすれば、折り返し部５ａの大きさが確保され、外部のアース端子との接続も行いやすくなる。なお、図１〜３に例示されるように、折り返し部は、通常、電磁波シールドシートを構成する基材フィルムの端部を折り返すことによって形成される。
【００４１】
折り返し部５ａは、図１（ｂ），図２に示すように、基材フィルム２ａの他方の面７ａを内側にして折り返されている。そして、折り返し部５ａにおける基材フィルム２ａの他方の面７ａと、折り返し部５ａを除いた部分における基材フィルム２ａの他方の面７ａとが接している。折り返し部５ａにおける基材フィルム２ａの他方の面７ａと、折り返し部５ａを除いた部分における基材フィルム２ａの他方の面７ａとは、接着剤や粘着剤を介して接着されていてもよい。
【００４２】
折り返し部５ａにおいては、折り返されることによって、折り返し部５ａに存在する接地層４ａが、図３の斜線部に示すように、基材フィルム２ａの他方の面７ａ側に設けられることになるので、この斜線部の任意の場所において外部のアース端子の接続が可能となる。このため、外部のアース端子の接続箇所に関する設計自由度も大きくなる。
【００４３】
図４は、電磁波シールドシートの他の一例を示す模式的な底面図である。より詳しくは、電磁波シールドシートの裏面（他方の面）を示す模式図であるが、説明の便宜上、折り返し前と折り返し後の状態がわかるように、折り返し部の一部については折り返す前の状態が示されている。
【００４４】
電磁波シールドシート１ｂにおいては、折り返し部５ｂの形状が、折り返されることにより形成される折り目線８ｂを底辺とする略等脚台形となっている。このように、折り返し部５ｂの形状が、折り返されることにより形成される折り目線８ｂを底辺とする略等脚台形であるので、折り返し部５ｂの加工が容易となり、その結果、工業生産性の高い接地構造を得ることができる。なお、図４においては、折り返し部５ｂの形状は、等脚台形となっているが、折り返し部の加工性を確保できるのであれば、折り返し部の形状を完全な等脚台形とする必要はなく、例えば等脚台形の角の形状に丸みを付けたりしてもよい。
【００４５】
電磁波シールドシート１ｂは平面視したときの形状が略四角形であり、この略四角形の各辺にそれぞれ折り返し部５ｂが設けられている。より詳しくは、４つの折り返し部５ｂが折り返されて得られる電磁波シールドシート１ｂは、平面視したときに略四角形となる（図４参照）が、この略四角形の各辺が折り目線８ｂとなっており、折り目線８ｂを介して折り返し部５ｂが４カ所設けられている。このように、電磁波シールドシート１ｂが略四角形であり、略四角形の各辺にそれぞれ折り返し部５ｂが設けられているので、基材フィルム２ａの他方の面の側に折り返される接地層の面積が大きくなり、その結果、電磁波シールド層の接地を行いやすくなる。
【００４６】
（電磁波シールドシートの製造方法）
本発明の電磁波シールドシートは、通常、一方の面に電磁波シールド層及び接地層が設けられた基材フィルムを準備した後、基材フィルムのうち前記接地層が形成された部分の一部を、基材フィルムの他方の面が内側になるように折り返して折り返し部を設けることによって製造される。
【００４７】
一方の面に電磁波シールド層及び接地層が形成された基材フィルムの製造は、例えば、上記で一部説明したとおり、基材フィルム上にスパッタリングや印刷等により、黒化層と金属層とを少なくとも形成し、これをフォトリソグラフィー法でパターニングして基材フィルム上に電磁波シールド層及び接地層を形成することによって行われる。
【００４８】
電磁波シールド層及び接地層の形成は、通常、ロール状に巻き取られた長尺の基材フィルムから、この基材フィルムを引き出し、この基材フィルムの表面に一組の電磁波シールド層及び接地層を連続的かつ断続的に複数設けることによって行われる。そして、一組の電磁波シールドシート及び接地層毎に、基材フィルムを切り出す。ここで、折り返し部の設置を考慮して、基材フィルムの切り出しは、最終的に得られる電磁波シールドシートよりも折り返し部の大きさの分だけ大きめに切り出される。
【００４９】
次に、折り返し部を形成する。上記のように大きめに切り出した基材フィルムにおいて折り返し部に対応する部分を、基材フィルムの他方の面が内側になるように折り返す。ここで、折り返し部における基材フィルムの他方の面と、折り返し部を除いた部分における基材フィルムの他方の面とを接着剤や粘着剤で接着してもよい。以上を経て、所定の折り返し部が設けられた電磁波シールドシートが完成する。
【００５０】
［光学フィルタ及びその製造方法］
（光学フィルタ）
図５は、本発明の光学フィルタの一例を示す模式的な斜視図であり、図６は、図５におけるＢ−Ｂ’面の模式的な断面図である。
【００５１】
本発明に係る第１の光学フィルタ１０ａは、基材フィルム２ｃと、基材フィルム２ｃの一方の面６ｃに形成された、メッシュ状パターンからなる電磁波シールド層３ｃ及び電磁波シールド層３ｃに電気的に接続された接地層４ｃと、基材フィルム２ｃの他方の面７ｃに設けられた光学調整層１１ａと、を有し、基材フィルム２ｃのうち、接地層４ｃが形成されかつ光学調整層１１ａが設けられていない部分に折り返し部５ｃを設け、折り返し部５ｃが基材フィルム２ｃの他方の面７ｃを内側にして折り返されている。
【００５２】
光学フィルタ１０ａにおいては、基材フィルム２ｃのうち、接地層４ｃが形成されかつ光学調整層１１ａが設けられていない部分に折り返し部５ｃを設け、折り返し部５ｃが基材フィルム２ｃの他方の面７ｃを内側にして折り返されているので、接地層４ｃの一部が基材フィルム２ｃの他方の面７ｃの側に折り返され、その結果、外部のアース端子との直接の接続が可能となる接地構造が形成される。
【００５３】
光学フィルタ１０ａは、光学調整層１１ａを間欠的に基材フィルム２ｃに貼り合わせて製造される形態のものである。より具体的には、光学フィルタ１０ａは、長尺の基材フィルム表面に一組の電磁波シールド層及び接地層が連続的かつ断続的に複数設けられてロール状に巻き取られたものを準備し、このロール状に形成された長尺の基材フィルムから、一組の電磁波シールド層及び接地層毎に基材フィルムを切り出し、こうして得られた基材フィルム２ｃ毎に、電磁波シールド層３ｃと同程度の大きさの光学調整層１１ａを、基材フィルム２ｃの他方の面７ｃに、電磁波シールド層３ａが形成された領域をカバーするように貼り合わせて得られるものである。その後、折り返し部５ｃの形成が行われる。
【００５４】
光学フィルタ１０ａは、電磁波シールド層３ｃとほぼ同等の大きさの光学調整層１１ａが基材フィルム２ｃの他方の面７ｃに貼り付けられていること以外は、基本的には、図１〜３で説明した電磁波シールドシート１ａと同様とすればよい。したがって、光学フィルタ１０ａにおける好ましい態様や変形例等も、基本的に電磁波シールドシート１ａと同様とすればよい。以下、光学フィルタ１０ａの好ましい態様について代表的なものをいくつか説明する。
【００５５】
光学フィルタ１０ａにおいては、図５，６には図示していないが、折り返し部の形状を、折り返されることにより形成される折り目線を底辺とする略等脚台形とすることが好ましい。折り返し部の形状を、折り返されることにより形成される折り目線を底辺とする略等脚台形とするので、折り返し部の加工が容易となり、その結果、工業生産性の高い接地構造を得ることができる。
【００５６】
光学フィルタ１０ａにおいては、図５，６には図示していないが、光学フィルタが略四角形であり、この略四角形の各辺にそれぞれ折り返し部が設けられていることが好ましい。光学フィルタを略四角形として、この略四角形の各辺にそれぞれ折り返し部を設けることにより、光学調整層の表面の側に折り返される接地層の面積が大きくなり、その結果、電磁波シールド層の接地を行いやすくなる。
【００５７】
光学フィルタ１０ａにおいては、図６に示すように、折り返し部５ｃにおける基材フィルム２ｃの他方の面７ｃと、折り返し部５ｃを除いた部分における基材フィルム２ｃの他方の面７ｃとが接している。こうして接して設けられる２つの面は、接着剤や粘着剤を介して接着されていてもよい。
【００５８】
光学フィルタ１０ａは、上記で説明したように、電磁波シールド層３ｃとほぼ同等の大きさの光学調整層１１ａが基材フィルム２ｃの他方の面７ｃに貼り付けられている点で電磁波シールドシート１ａと異なる。そこで、以下では、電磁波シールドシート１ａとの相違点である光学調整層７ａについて説明を行う。
【００５９】
光学調整層１１ａとしては、従来公知のものをそのまま用いればよい。例えば近赤外線吸収層、ネオン光吸収層、紫外線吸収層、反射防止層、ハードコート層、防汚層、及び防眩層等を挙げることができる。これら層を複数用いる場合における層を積層する順番は、用いる用途に応じて適宜調整すればよい。また、それぞれの層の厚さはそれぞれの光学調整層１１ａ毎に適当な厚さが設定される。
【００６０】
近赤外線吸収層は、通常、プラズマディスプレイパネルから放射される近赤外線を吸収するために設けることができる。近赤外線吸収層を設けることにより、プラズマディスプレイ装置の近くで使用されるリモートコントロール装置の誤作動等を防止することができる。近赤外線吸収層は、例えば、ジインモニウム系化合物、フタロシアニン系化合物等の近赤外線吸収剤をバインダ樹脂中に添加した塗料を、基材フィルム２ｃの他方の面７ｃ上に塗工する、又は透明基材上にかかる近赤外線吸収塗料を塗工したものを基材フィルム２ｃの他方の面７ｃ上に接着剤で接着することにより設けることができる。
【００６１】
ネオン光吸収層は、通常、プラズマディスプレイパネルから放射されるネオン光を吸収するために設けることができる。ネオン原子の発光スペクトル帯域は波長５５０〜６４０ｎｍであるので、ネオン光吸収層は、通常、少なくとも５５０〜６４０ｎｍの波長領域内に吸収極大を有する色素をバインダ樹脂に分散させた層とすることが好ましく、中心波長５９０ｎｍにおける光線透過率が５０％以下になるように含有量等を調整することがより好ましい。
【００６２】
紫外線吸収層は、外光としてプラズマディスプレイパネルに入射する紫外線を吸収して、プラズマディスプレイパネルを構成する材料の紫外線劣化を防ぐために設けることができる。また、上記のような有機系の近赤外線吸収剤を含有する近赤外線吸収層を設ける場合には、この近赤外線吸収剤は紫外線により劣化しやすいため、紫外線吸収層を近赤外線吸収層より外側に積層することが好ましい。紫外線吸収層は、通常、紫外線吸収剤をバインダ樹脂に分散させた層を基材フィルム２ｃの他方の面７ｃ上に設ける、又は紫外線吸収層を有するシートを基材フィルム２ｃの他方の面７ｃ上に貼り合わせて設けることができる。
【００６３】
反射防止層（ＡＲ（Ａｎｔｉ  Ｒｅｆｌｅｃｔｉｏｎ）層）は、通常、光干渉で反射光を抑制するために設けることができる。反射防止層としては、通常、低屈折率層が最表面に位置する様にして低屈性率層と高屈折率層とを交互に積層した多層構成からなるものが好ましく用いられる。
【００６４】
ハードコート層（ＨＣ（Ｈａｒｄ  Ｃｏａｔ）層）は、通常、光学調整層１１ａの表面を保護するために設けることができる。ハードコート層は、通常、電離放射線硬化性樹脂、熱硬化性樹脂等で形成される。
【００６５】
防眩層（ＡＧ（Ａｎｔｉ  Ｇｌａｒｅ）層）は、光拡散によって外光の鏡面反射を低減し、ギラツキを防止するために設けることができる。防眩層は、通常、透明樹脂バインダ中にこれと屈折率の異なるシリカ等の無機フィラーを分散させた層として、又は透明樹脂層表面にエンボス加工等で光拡散性の微小な凹凸を賦形したものとして形成することができる。
【００６６】
防汚層は、通常、基材フィルム２ｃに付着する汚れを防止するために設けることができる。防汚層は、撥水性や撥油性を有する層であり、通常、シロキサン系化合物や、フッ素化アルキルシリル化合物等が用いられる。
【００６７】
光学調整層１１ａは、求められる性能に応じて、以上説明した各層を適宜選択して用いればよい。
【００６８】
図７は、本発明の光学フィルタの他の一例を示す模式的な斜視図であり、図８は、図７におけるＣ−Ｃ’面、Ｄ−Ｄ’面の模式的な断面図である。より詳しくは、図８（ａ）がＣ−Ｃ’面の模式的な断面図であり、図８（ｂ）がＤ−Ｄ’面の模式的な断面図である。
【００６９】
本発明に係る第２の光学フィルタ１０ｂは、基材フィルム２ｄと、基材フィルム２ｄの一方の面６ｄに形成された、メッシュ状パターンからなる電磁波シールド層３ｄ及び電磁波シールド層３ｄに電気的に接続された接地層４ｄと、基材フィルム２ｄの他方の面７ｄに設けられた光学調整層１１ｂと、を有し、基材フィルム２ｄのうち、接地層４ｄが形成されかつ光学調整層１１ｂが設けられた部分に折り返し部５ｄを設け、折り返し部５ｄが光学調整層１１ｂの表面１２を内側にして折り返されている。なお、光学調整層１１ｂの表面１２とは、図７、８に示すように、光学調整層１１ｂが、基材フィルム２ｄと接する面とは反対側の面をいう。
【００７０】
基材フィルム２ｄのうち、接地層４ｄが形成されかつ光学調整層１１ｂが設けられた部分に折り返し部５ｄを設け、折り返し部５ｄが光学調整層１１ｂの表面を内側にして折り返されているので、接地層４ｄの一部が光学調整層１１ｂの表面１２の側に折り返され、その結果、外部のアース端子との直接の接続が可能となる接地構造が形成される。
【００７１】
光学フィルタ１０ｂは、光学調整層１１ｂを連続的に基材フィルム２ｄに貼り合わせて製造される形態のものである。具体的には、長尺の基材フィルム表面に一組の電磁波シールド層及び接地層が連続的かつ断続的に複数設けられてロール状に巻き取られたものを準備し、また、長尺の光学調整層がロール状に形成されたものを準備する。ここで、光学調整層の幅は、基材フィルムの幅よりも小さく、電磁波シールド層の短辺の長さと略同一となっている。そして、これら二つのロールから基材フィルムと光学調整層を引き出し、電磁波シールド層と光学調整層とを重ねるようにして、基材フィルムの他方の面に光学調整層を貼り合わせた後、光学フィルタを１枚ずつ切り出す。その後、折り返し部の形成が行われ、光学フィルタ１０ｂが完成する。
【００７２】
光学フィルタ１０ｂは、図７，図８（ｂ）に示すように、光学調整層１１ｂの長辺が基材フィルム２ｄの長辺の長さと同一になっているために、以下の２点において、図５，６で説明した光学フィルタ１０ａと異なる。第一は、電磁波シールド層３ｄの長辺の上部又は下部に存在する基材フィルム２ｄ部分には光学調整層１１ｂが貼付されていない。このため、図８（ａ）に例示されるように、電磁波シールド層３ｄの長辺の下部又は上部おいては、折り返し部５ｄにおける基材フィルム２ｄの他方の面７ｄと、折り返し部５ｄを除いた部分における基材フィルム２ｄの他方の面７ｄと、の間に、光学調整層１１ｂの２層分の隙間Ｇが存在する。第２は、光学フィルタ１０ｂの長辺と同一の長さを有する光学調整層１１ｂが電磁波シールド層３ｄを覆っているので、図８（ｂ）に示すように、電磁波シールド層３ｄの短辺に垂直な断面においては、折り返し部５ｄにおける光学調整層１１ｂの表面１２と、折り返し部５ｄを除いた部分における光学調整層１１ｂの表面１２とが接している。これら２点以外は、光学フィルタ１０ｂは、図５，６で説明した光学フィルタ１０ａひいては図１〜３で説明した電磁波シールドシート１ａと同様とすればよい。したがって、光学フィルタ１０ｂにおける好ましい態様や変形例等も、基本的に光学フィルタ１０ａひいては電磁波シールドシート１ａと同様とすればよい。以下、光学フィルタ１０ｂの好ましい態様について代表的なものをいくつか説明する。
【００７３】
光学フィルタ１０ｂにおいては、図７，８には図示していないが、折り返し部の形状を、折り返されることにより形成される折り目線を底辺とする略等脚台形とすることが好ましい。折り返し部の形状を、折り返されることにより形成される折り目線を底辺とする略等脚台形とするので、折り返し部の加工が容易となり、その結果、工業生産性の高い接地構造を得ることができる。
【００７４】
光学フィルタ１０ｂにおいては、図７，８には図示していないが、光学フィルタが略四角形であり、この略四角形の各辺にそれぞれ折り返し部が設けられていることが好ましい。光学フィルタを略四角形として、この略四角形の各辺にそれぞれ折り返し部を設けることにより、光学調整層の表面の側に折り返される接地層の面積が大きくなり、その結果、電磁波シールド層の接地を行いやすくなる。
【００７５】
光学フィルタ１０ｂは、上記した２点で、光学フィルタ１０ａひいては電磁波シールドシート１ａと異なる。そこで、この２点について説明する。
【００７６】
光学フィルタ１０ｂは、図８（ａ）に示すとおり、電磁波シールド層３ｄの長辺の上部又は下部に存在する折り返し部５ｄにおける基材フィルム２ｄと、折り返し部５ｄを除いた部分における基材フィルム２ｄとの間に隙間が存在する点で、図５，６の光学フィルタ１０ａと異なる。これは、光学調整層１１ｂの幅が、電磁波シールド層３ｄの短辺と同一とされているからであるが、上記の隙間に、接着剤又は粘着剤を挿入してもよい。これにより、折り返し部５ｄにおける基材フィルム２ｄと、折り返し部５ｄを除いた部分における基材フィルム２ｄとの接着力がより強固になる。
【００７７】
光学フィルタ１０ｂは、基材フィルム２ｄのうち、接地層４ｄが形成されかつ光学調整層１１ｂが設けられた部分に折り返し部５ｄを設け、折り返し部５ｄが光学調整層１１ｂの表面１２を内側にして折り返されている。このため、図８（ｂ）に示すとおり、電磁波シール層３ｄの短辺に垂直な断面においては、折り返し部５ｄにおける光学調整層１１ｂの表面１２と、折り返し部５ｄを除いた部分における光学調整層１１ｂの表面１２とが接している。この接する部分を接着剤や粘着剤で接着してもよいことは、光学フィルタ１０ａひいては、光学シールドシート１ａと同様である。
【００７８】
（光学フィルタの製造方法）
本発明の光学フィルタは、通常、一方の面に電磁波シールド層及び接地層が設けられ、他方の面には光学調整層が設けられた基材フィルムを準備する。次いで、基材フィルムのうち接地層が形成されかつ光学調整層が設けられていない部分の一部を、基材フィルムの他方の面が内側になるように折り返して折り返し部を設けることによって製造される。または、基材フィルムのうち接地層が形成されかつ光学調整層が設けられた部分の一部を、光学調整層の表面が内側になるように折り返して折り返し部を設けることによって製造される。
【００７９】
光学フィルムは、電磁波シールドシートにおける基材フィルムの他方の面に光学調整層を貼り付けることによって製造される。光学フィルムの製造方法は、従来公知の方法をそのまま用いることができるので、ここでは詳細な説明は省略する。また、光学フィルムにおける折り返し部の形成についても、電磁波シールドシートで説明した製造方法をそのまま用いるか、適宜応用すればよいので、ここでの説明は省略する。
【００８０】
［プラズマディスプレイ装置への適用］
図９は、本発明の光学フィルタを適用したプラズマディスプレイ装置の模式的断面図である。より詳しくは、５，６図に示す光学フィルタ１０ａをプラズマディスプレイ装置に適用したものである。
【００８１】
プラズマディスプレイ装置１００は、プラズマディスプレイパネル８０と、光学フィルタ１０ａの電磁波シールド層３ｃとが、粘着層７０を挟んで向かい合うように設置されている。そして、基材フィルム２ｃの他方の面７ｃに存在する折り返し部５ｃと、外部アース端子９０ａ，９０ｂとを電気的に接続することにより、電磁波シールド層３ｃが接地されている。この構成では、電磁波シールド層３ｃとプラズマディスプレイパネル８０とが数十μｍのオーダーに近接して設置されることになるので、電磁波シールドの機能が向上する。一方、電磁波シールド層３ｃとプラズマディスプレイパネル８０とが近接して位置する分、光学フィルタ１０ａとプラズマディスプレイパネル８０との間に存在する粘着層７０が形成する空間に外部アース端子を挿入することは現実的でない。無理に外部アース端子を設置すると、外部アース端子がプラズマディスプレイパネル８０の表面に接触して傷を付ける可能性もある。そこで、折り返し部５ｃを設けて基材フィルム２ｃの他方の面７ｃの側から外部アース端子９０ａ，９０ｂに接地を行う、本発明の光学フィルタ１０ａにおいて採用する設置構造の有効性が発揮されることになる。
【００８２】
プラズマディスプレイ装置１００では、図５，６の光学フィルタ１０ａについてのみ説明したが、上記において紹介したその他の電磁波シールドシート１ａ，１ｂや、光学フィルタ１０ｂにおいても同様の効果が奏される。
【図面の簡単な説明】
【００８３】
【図１】本発明の電磁波シールドシートの一例を示す模式的な斜視図である
【図２】図１におけるＡ−Ａ’面の模式的な断面図である。
【図３】図１に示す電磁波シールドシートの裏面（他方の面）を示す模式的な底面図である。
【図４】電磁波シールドシートの他の一例を示す模式的な底面図である。
【図５】本発明の光学フィルタの一例を示す模式的な斜視図である。
【図６】図５におけるＢ−Ｂ’面の模式的な断面図である。
【図７】本発明の光学フィルタの他の一例を示す模式的な斜視図である。
【図８】図７におけるＣ−Ｃ’面、Ｄ−Ｄ’面の模式的な断面図である。
【図９】本発明の光学フィルタを適用したプラズマディスプレイ装置の模式的断面図である。
【符号の説明】
【００８４】
１ａ，１ｂ  電磁波シールドシート
２ａ，２ｂ，２ｃ，２ｄ  基材フィルム
３ａ，３ｃ，３ｄ  電磁波シールド層
４ａ，４ｃ，４ｄ  接地層
５ａ，５ｂ，５ｃ，５ｄ  折り返し部
６ａ，６ｃ，６ｄ  基材フィルムの一方の面
７ａ，７ｃ，７ｄ  基材フィルムの他方の面
８ａ，８ｂ，８ｃ，８ｄ  折り目線
１０ａ，１０ｂ  光学フィルタ
１１ａ，１１ｂ  光学調整層
１２  光学調整層の表面
７０  粘着層
８０  プラズマディスプレイパネル
９０ａ，９０ｂ  外部アース端子
１００  プラズマディスプレイ装置
Ｇ  隙間
【図１】
2008300550.tif 000003
【図２】
2008300550.tif 000004
【図３】
2008300550.tif 000005
【図４】
2008300550.tif 000006
【図５】
2008300550.tif 000007
【図６】
2008300550.tif 000008
【図７】
2008300550.tif 000009
【図８】
2008300550.tif 000010
【図９】
2008300550.tif 000011